(57)【特許請求の範囲】
【請求項１】
開放側端部が戸枠に回動自在に支持された第１扉と、第１扉の閉鎖側端部に開放側端部が折り畳み自在に連結された第2扉と、第２扉の上端部に設けられた案内用部材が、戸枠に配設されたレール部材に沿って案内され、第１扉と第２扉の連結部分が室内側に突出しながら２つ折りになって開放され、レール部材の開放側端部は戸枠に回動自在に連結され、レール部材の閉鎖側端部は戸枠に係脱自在に保持され、非常時には、レール部材を第１扉、第２扉と共に室外側に回動可能とした折れ戸の非常時開放装置において、第２扉の閉鎖側端部に施錠装置がもうけられ、施錠装置の施錠杆は、施錠状態で上端部が第２扉の上端面から上方に突出し、レール部材の施錠杆の室外側の位置に、施錠状態の施錠杆の上端部に係止する施錠用係止部が設けられ、非常時には、施錠された状態で、レール部材が、施錠用係止部、第１扉、第２扉と共に室外側に回動する事を特徴とする折れ戸の非常時開放装置。
【請求項２】
開放側端部が戸枠に回動自在に支持された第１扉と、第１扉の閉鎖側端部に開放側端部が折り畳み自在に連結された第2扉と、第２扉の上端部に設けられた案内用部材が、戸枠に配設されたレール部材に沿って案内され、第１扉と第２扉の連結部分が室内側に突出しながら２つ折りになって開放され、レール部材の開放側端部は戸枠に回動自在に連結され、レール部材の閉鎖側端部はラッチ部材を介して戸枠に係脱自在に保持され、ラッチ部材を操作するための操作部が室外側に臨んで設けられ、ラッチ部材は、室外側からの操作によってレール部材と戸枠の係止状態を解除して、レール部材を第１扉、第２扉と共に室外側に回動可能とした折れ戸の非常時開放装置において、第２扉の閉鎖側端部に施錠装置がもうけられ、施錠装置の施錠杆は、施錠状態で上端部が第２扉の上端面から上方に突出し、レール部材の施錠杆の室外側の位置に、施錠状態の施錠杆の上端部に係止する施錠用係止部が設けられ、非常時には、施錠された状態で、レール部材が、施錠用係止部、第１扉、第２扉と共に室外側に回動する事を特徴とする折れ戸の非常時開放装置。
【請求項３】
操作部は、ラッチ部材の下方に位置して、直接ラッチ部材の操作が可能な操作孔より構成されていることを特徴とする請求項２に記載の折れ戸の非常時扉開放装置。
【請求項４】
操作部は、ラッチ部材の下方に位置してラッチ部材を操作する押上げ操作部材と、押上げ操作部材の下方に位置する押上げ操作部材を操作する為の操作孔を有していることを特徴とする請求項２に記載の折れ戸の非常時扉開放装置。
【発明の詳細な説明】
【技術分野】
【０００１】
本発明は、特に浴室や便所等の狭い空間に使用される折れ戸の非常時開放装置に関するものである。
【背景技術】
【０００２】
浴室や便所等の狭い空間に使用される折れ戸は、室外に突出して開くと邪魔になるから、通常室内に突出しながら２つ折れになって開く場合が多い。
そして、この場合、高齢者や病人が、発作あるいは急病のため、室内側で折れ戸に凭れて倒れたり、あるいは、折れ戸近くで倒れたりすると、折れ戸を室内側に突出させて開くことが出来なくなり、その結果、内部の高齢者や急病人を、手際よく救出することが出来ず苦労していた。
そのため、上記非常時には、外部から折れ戸を開くことができる折れ戸の非常時開放装置が提供されるようになってきた。（例えば、特許文献１参照。）
【０００３】
そして上記構成は、上枠、側枠からなる額縁の中に戸が２枚取り付けられ、この２枚の戸の側端同士が回転自在に連結され、この連結部分が突出しながら、戸が２つ折れになって開く折り戸において、一方の戸の上位端に設けられた回転軸が額縁の上枠に回転自在に取り付けられ、他方の戸の上端に回転自在に取り付けられた移動子が額縁の上枠に設けられたレール枠の中を移動できるよう取り付けられ、戸が閉じられたときの他方の戸の移動子近傍のレール枠が、外側から外せられるように取り付けられているものである。
そして、非常時、移動子近傍のレール枠を取外し、戸を取り付けている移動子が外方に移動できるようになし、一方の戸の回転軸を中心にして折り戸を回転させて、室外側に折り戸を開けるようにしている。
【０００４】
この場合、上枠と連結されたレール枠は高所に位置するので、レール枠を取り外す作業が煩雑で、しかも、踏み台等が必要となり、非常時に迅速に対応できなかった。
又、急病人が室内で扉に凭れた状態で倒れていると、室外側方向に体重が負荷された状態となっているので、レール枠を取外すと同時に折れ戸が急激に外側に回動するので、踏み台に上がり、さらに取外したレール枠を保持した状態では、回動する折れ戸を支えきれず非常に危険であった。
さらに、室内側から扉が施錠されていると、室外側から施錠状態を解除してからでないと折れ戸を回転させて、室外側に開放することができず、操作が煩雑であった。
【０００５】
【特許文献１】特許第３１３２９０６号公報
【発明の開示】
【発明が解決しようとする課題】
【０００６】
本発明は、簡単な操作でかつ安全に、非常時に折れ戸を開放することができ、室内側から施錠されていても、施錠状態に関係なく折れ戸を開放する事ができる折れ戸の非常時開放装置を提供する事を課題とする。
【課題を解決するための手段】
【０００７】
そこで、上記課題を解決する為、本発明が第１の手段として構成したところは、開放側端部が戸枠に回動自在に支持された第１扉と、第１扉の閉鎖側端部に開放側端部が折り畳み自在に連結された第2扉と、第２扉の上端部に設けられた案内用部材が、戸枠に配設されたレール部材に沿って案内され、第１扉と第２扉の連結部分が室内側に突出しながら２つ折りになって開放され、レール部材の開放側端部は戸枠に回動自在に連結され、レール部材の閉鎖側端部は戸枠に係脱自在に保持され、非常時には、レール部材を第１扉、第２扉と共に室外側に回動可能とした折れ戸の非常時開放装置において、第２扉の閉鎖側端部に施錠装置がもうけられ、施錠装置の施錠杆は、施錠状態で上端部が第２扉の上端面から上方に突出し、レール部材の施錠杆の室外側の位置に、施錠状態の施錠杆の上端部に係止する施錠用係止部が設けられ、非常時には、施錠された状態で、レール部材が、施錠用係止部、第１扉、第２扉と共に室外側に回動するものである。
【０００８】
次に、本発明が第２の手段として構成したところは、開放側端部が戸枠に回動自在に支持された第１扉と、第１扉の閉鎖側端部に開放側端部が折り畳み自在に連結された第2扉と、第２扉の上端部に設けられた案内用部材が、戸枠に配設されたレール部材に沿って案内され、第１扉と第２扉の連結部分が室内側に突出しながら２つ折りになって開放され、レール部材の開放側端部は戸枠に回動自在に連結され、レール部材の閉鎖側端部はラッチ部材を介して戸枠に係脱自在に保持され、ラッチ部材を操作するための操作部が室外側に臨んで設けられ、ラッチ部材は、室外側からの操作によってレール部材と戸枠の係止状態を解除して、レール部材を第１扉、第２扉と共に室外側に回動可能とした折れ戸の非常時開放装置において、第２扉の閉鎖側端部に施錠装置がもうけられ、施錠装置の施錠杆は、施錠状態で上端部が第２扉の上端面から上方に突出し、レール部材の施錠杆の室外側の位置に、施錠状態の施錠杆の上端部に係止する施錠用係止部が設けられ、非常時には、施錠された状態で、レール部材が、施錠用係止部、第１扉、第２扉と共に室外側に回動するものである。
【０００９】
次に、本発明が第３の手段として構成したところは、上記第２の手段に加え、操作部は、ラッチ部材の下方に位置して、直接ラッチ部材の操作が可能な操作孔より構成されているものである。
【００１０】
次に、本発明が第４の手段として構成したところは、上記第２の手段に加え、操作部は、ラッチ部材の下方に位置してラッチ部材を操作する押上げ操作部材と、押上げ操作部材の下方に位置する押上げ操作部材を操作する為の操作孔を有しているものである
【発明の効果】
【００１１】
第１の手段として構成したところによると、レール部材の開放側端部は戸枠に回動自在に連結され、レール部材の閉鎖側端部は戸枠に係脱自在に保持されているので、レール部材と戸枠の係止状態を解除するだけで、レール部材は第１扉、第２扉と共に室外側に回動可能となるから、開放操作を簡単に行なうことが出来、又、非常時の開放動作中、不要な部材を保持する必要もないので、折れ戸が急に開放してきても十分に対応することが可能で、作業が安全である。さらに、第２扉の閉鎖側端部に施錠装置がもうけられ、施錠装置の施錠杆は、施錠状態で上端部が第２扉の上端面から上方に突出し、レール部材の施錠杆の室外側の位置に、施錠状態の施錠杆の上端部に係止する施錠用係止部が設けられているから、第２扉が施錠状態であっても、施錠用係止部とともに施錠杆は移動するので、開錠操作が必要でなく、緊急時の対応も手際よく行うことができる。
【００１２】
第２の手段として構成したところによると、レール部材の開放側端部は戸枠に回動自在に連結され、レール部材の閉鎖側端部はラッチ部材を介して戸枠に係脱自在に保持されているので、ラッチ部材を室外側からの操作によってレール部材と戸枠の係止状態を解除するだけで、レール部材は第１扉、第２扉と共に室外側に回動可能となるから、開放操作を簡単に行なうことが出来、又、非常時の開放動作中、不要な部材を保持する必要もないので、折れ戸が急に開放してきても十分に対応することが可能で、作業が安全である。
さらに、第２扉の閉鎖側端部に施錠装置がもうけられ、施錠装置の施錠杆は、施錠状態で上端部が第２扉の上端面から上方に突出し、レール部材の施錠杆の室外側の位置に、施錠状態の施錠杆の上端部に係止する施錠用係止部が設けられているから、第２扉が施錠状態であっても、施錠用係止部とともに施錠杆は移動するので、開錠操作が必要でなく、緊急時の対応も手際よく行うことができる。
【００１３】
第３の手段として構成したところによると、第２の手段として構成したところの効果に加え、操作部として直接ラッチ部材の操作可能な操作孔を設けているだけであるから、構造が簡単で安価に製作出来る。
【００１４】
第４の手段として構成したところによると、第２の手段として構成したところの効果に加え、操作部が、ラッチ部材を操作する押上げ操作部材と、押上げ操作部材を操作する為の操作孔がそれぞれの下方に位置しているので、操作孔はラッチ部材を操作する者にとってより近い位置に設けることが可能となり、ラッチ部材の解除操作がより容易である。
【発明を実施するための最良の形態】
【００１５】
本発明は、開放側端部が戸枠に回動自在に支持された第１扉と、第１扉の閉鎖側端部に開放側端部が折り畳み自在に連結された第2扉と、第２扉の上端部に設けられた案内用部材が、戸枠に配設されたレール部材に沿って案内され、第１扉と第２扉の連結部分が室内側に突出しながら２つ折りになって開放され、レール部材の開放側端部は戸枠に回動自在に連結され、レール部材の閉鎖側端部はラッチ部材を介して戸枠に係脱自在に保持され、ラッチ部材を操作するための操作部がラッチ部材の下方に位置してラッチ部材を操作する押上げ操作片と、押上げ操作片の下方に位置する押上げ操作片を操作する為の操作孔を有して室外側に臨んで設けられ、ラッチ部材は、室外側からの操作によってレール部材と戸枠の係止状態を解除し、レール部材を第１扉、第２扉と共に室外側に回動可能となし、第２扉の閉鎖側端部に施錠装置がもうけられ、施錠装置の施錠杆は、施錠状態で上端部が第２扉の上端面から上方に突出し、レール部材の施錠杆の室外側の位置に、施錠状態の施錠杆の上端部に係止する施錠用係止部が設けられているものである。
【実施例】
【００１６】
以下、実施例を説明する。
図１において符号１は折れ戸を示し、符号１０は戸枠を示している。
戸枠１０は、建物側の鉄骨にブラケットを介して固定された閉鎖側縦枠１１および開放側縦枠１２と、閉鎖側縦枠１１と開放側縦枠１２との上端間に配設され、建物側の鉄骨にブラケットを介して固定された上枠１３より門形に形成されている。
【００１７】
そして、図５に示すように、開放側縦枠１２の上端部内面に上部支持部材２が設けられ、下端部内面に下部支持部材３が設けられ、上部支持部材２に対応して、図４に示すように閉鎖側縦枠１１の上端部内面に上部保持部材５が設けられ、上部支持部材２と上部保持部材５間にレール部材６が配設され、下部支持部材３と上部支持部材２間に第１扉７の開放側上下端部が回動自在に支持され、第１扉７の閉鎖側端部に第２扉７５の開放側端部が折り畳み自在に連結されている。
符号９０は、レール部材６の室外側に設けられた表面部材を示し、符号９００はレール部材６の室内側に位置して、開閉側縦枠１２、１１の上端部内面間に着脱自在に設けられたランマパネルを示し、符号７５６、７５６は第２扉７５の閉鎖側端部の室内外側面にとりつけられた取手を示し、符号７５５は第２扉７５の開放側端部の室内側面に取り付けられた補助取手を示している。
【００１８】
上部支持部材２は、開放側縦枠１２の上部内面にネジ止め連結される側壁２１と、側壁２１の上下端部で内方に突出して形成された上壁２２、下壁２３より構成され、側壁２１には、上下方向に所定間隔を有して、上部支持部材２の取付高さの調節が若干可能なように上下方向の長孔２１０、２１０が形成され、上壁２２、下壁２３には、前記レール部材６の開放側端部を回動自在に連結するための連結孔２２０、２３０が形成され、下壁２３の下面には第１扉７の開放側端部上面が回動自在に連結される上回動支持軸２３１（図４、図５に示す。）が下方に向けて突設されている。
【００１９】
下部支持部材３は、連結片３１と支持突片３２より略Ｌ字形に形成され、連結片３１が開放側縦枠１２の内面下端部にネジ止め連結されて、支持突片３２が前記上部支持部材２の下壁２３に対応して内方に突出している。
そして、第１扉７の開放側端部下面が回動自在に連結される下回動支持軸３２１が、上回動支持軸２３１に対応して、支持突片３２に上方に向けて突設されている。
【００２０】
すなわち、第１扉７は、ペーパーハニカム７０１を介して対向する表面板７１と裏面板７２と、上部補強材７３等より構成され、開放側上下端面に前記上下回動支持軸２３１、３２１が嵌入する上下回動用嵌入孔７０（上部のみ図示）が形成され、この上下回動用嵌入孔７０に、緩衝部材、スペーサを介して上下支持部材２、３の上下回動支持軸２３１、３２１が嵌入し、上下支持部材２、３を介して、開放側縦枠１２（戸枠１０）に回動自在に支持されている。
【００２１】
第２扉７５は、第１扉７同様ペーパーハニカム７５０を介して対向する表面板７５１と裏面板７５２と、上部補強材７５３等より構成され、開放側端部が折畳み装置７５４を介して第１扉７の閉鎖側端部に連結され、開閉方向の略中央部に、レール部材６に案内される案内用部材８（詳細は後述）が上方に突出して取り付けられ、閉鎖側端部の内部に施錠装置９が内臓されている。
第1扉７と第2扉７５は上記の如く構成されているので、閉鎖状態から開放されるときは、第１扉７の閉鎖側端部と第２扉７５開放側端部が室内側に突出しながら開放側に移動すると同時に、第２扉７５の閉鎖側端部が室外側に突出しながら開放側に移動し、図２に示すように、開放状態となる。
【００２２】
上記施錠装置9は、入退室を表示する表示錠と連動する、室内側から操作される施錠操作部（図示せず）と、施錠操作部に連動して上下動し、上昇した状態（施錠状態）で第２扉７５の上端面から上端部が上方に突出する施錠杆９１と、施錠杆９１を上下動自在に第２扉７５の内部で保持するスライド支持部９２等より構成されている。
【００２３】
一方、レール部材６は、開閉方向に下面が開口する案内溝６１０を有する案内支持部材６１と、案内支持部材６１の室外側に固着され表面部材９０がネジ止め連結される表面板取付部材６２と、表面板取付部材６２と案内支持部材６１に固着され、案内支持部材６１の上方に位置する上部補強部材６３と、案内支持部材６１と表面板取付部材６２と上部補強部材６３の開放側端面に固着された回動用連結部材６０と、案内支持部材６１と表面板取付部材６２と上部補強部材６３の閉鎖側端面に固着されたラッチ係合部材６４より構成されている。
【００２４】
そして、前記施錠装置９の施錠杆９１に対応して、室内側に突出する係止突片９３１を下端部に有する施錠用係止部９３が、案内支持部材６１の閉鎖側端部内面に下方に突出して設けられている。
すなわち、施錠装置９の施錠状態（施錠杆９１に上端部が第２扉７５の上端面から上方に突出した状態、図４、図６に示す。）で、施錠杆９１の上端部の室外側に係止突片９３１がほぼ当接する状態で位置しているので、第２扉７５の閉鎖側端部が室外側に移動することができず、閉鎖状態が維持される（施錠状態が維持される。）
【００２５】
回動用連結部材６０は、前記上部支持部材２の上壁２２、下壁２３間の内面上下に位置する上下回動用突壁６０１、６０２と連結用壁６０３等からなり、上下回動用突壁６０１、６０２には前記連結孔２２０、２３０に対応して回動用孔６０４、６０５が形成され、連結ピン６００を、連結孔２２０、２３０、回動用孔６０４、６０５に挿通し、抜け止めピン６０６にて抜け止めを行ない上部支持部材２と連結される。
すなわち、レール部材６の開放側端部は戸枠１０（上支持部材２）に回動自在に連結される。
【００２６】
ラッチ係合部材６４は、レール部材６の閉鎖側端部に固着される連結固着部６４０と、連結固着部の閉鎖側に連結され、上部保持部材５に取り付けられたラッチ部材４に係脱自在となる係合軸部６４１と、係合軸部６４１の閉鎖側端部に回転自在に設けられたゴム製の圧接用ローラー６４２等より構成され、ラッチ部材４との係止状態で、上部保持部材５に保持された状態となる。
【００２７】
上部保持部材５は、 閉鎖側縦枠１１の上部内面にネジ止め連結される連結用側壁５１と、連結用側壁５１の室内側端部から開放側に突出する突出壁５２と、突出壁５２の開放側端部の上半部から室内側に突出するラッチ部材連結用壁５３と、突出壁５２の開放側端部の下半部から開放側に突出するレール材保持用突出壁５４と、連結用側壁５１と突出壁５２の下半部内面に固着され、圧接用ローラー６４２を支持するローラー支持壁５５と、ローラー支持壁５５の室外側前端部から下方に傾斜突出する案内傾斜壁５６と、ローラー支持壁５５の開放側端部から開放側に突出するラッチ部材支持壁５７等より構成されている。
【００２８】
そして、連結用側壁５１には上下方向に所定間隔を有して、上部保持部材５の取付高さの調節が若干可能なように上下方向の長孔５１０、５１０が形成され、突出壁５２の室外側面には、レール部材６がラッチ部材４に係止された状態でレール部材６がガタつかないよう、
前記圧接用ローラー６４２の端面が圧接するゴム製のローラー当り５２１が取り付けられ、ラッチ部材連結用壁５３の開放側面には、ラッチ部材支持壁５７の上方に位置してラッチ部材４が回動自在に連結され、ラッチ部材連結用壁５３の閉鎖側縦枠１１側の面には逆Ｌ字形のバネ取付座５８が連結されている。
そして、ラッチ部材４にレール部材６が係止された状態（係合軸部６４１がラッチ部材４に係合された状態）で、レール材保持用突出壁５４の室外側面に吸着する磁石５９が、ラッチ係合部材６４の連結固着部６４０の閉鎖側端面に設けられ、ラッチ部材４と係合軸部６４１に係合状態が解除されても、レール部材６が不測に回動するのを防止している。
【００２９】
ラッチ部材４は、ラッチ部材連結用壁５３に回動自在に連結され、室外側端部の下端部に前記係合軸部６４１に係止する係止部４１１が形成された連結用係止片４１と、連結用係止片４１の上端部で開放側に突出する操作用突片４２より構成され、操作用突片４２の
室内側端部とバネ取付座５８の上端部間に引張りバネ４３が配設され、ラッチ部材４は常に係合軸部６４１に係止する方向に回動するよう付勢されている。
符号４１２は、連結用係止片４１の室外側端面に形成された室外側が上方に傾斜する傾斜操作面を示している。
【００３０】
そして、ラッチ部材４と係合軸部６４１の係止状態は操作部４５によって解除される。
操作部４５は、押上げ操作部材４６と、押上げ操作部材４６を上下動可能に保持する操作用保持部材４７と、押上げ操作部材４６を操作するための操作孔４８より構成されている。
押上げ操作部材４６は、上端にラッチ部材４方向（室内側方向）に突出し、操作用突片４２の室外側端部の下方に位置する押上げ突片４６１と、押上げ突片４６１の室外側端部で下方に延設された垂下片４６２と、垂下片４６２の下端部で室内側に突設された操作突片４６３と、垂下片４６２の開閉側端部で室内側に突出する補強突片４６４、４６４より構成されている。
【００３１】
操作用保持部材４７は、レール部材６の室外側に設けられた表面部材９０の裏面の所定位置（ラッチ部材４が位置する個所）に固着され、前記垂下片４６２と、補強突片４６４、４６４の上下方向の中央部分を保持しており、操作孔４８は表面部材９０の下面で操作突片４６３の下面が臨む位置に形成されている。
【００３２】
そして、非常時には、操作孔４８より指やドライバー等を差し込んで先端を操作突片４６３の下面に当接させ上方に押し上げると、押上げ部材４６は上方に移動し、同時に押上げ突片４６１は引張りバネ４３の弾性に抗して操作用突片４２の室外側端部を押上げ、係合軸部６４１と係止部４１１の係止状態を解除し（図１０に示す状態。）、レール部材６の閉鎖側端部を磁石５９の吸着力に抗して室外側に引き出すと、レール部材６は、第２扉７５の案内用部材８を案内溝６１０内に嵌合した状態で第１扉７と共に、連結ピン６００を回動中心として室外側に回動され（図３に開放途中の状態を示す。）、第１扉７、第２扉７５は室外側に開放された状態となり、室内の急病人等の救出を行なうことができる。
又、室内側から第２扉７５が施錠された状態であっても、施錠用係止部９３がレール部材６に設けられているので、第２扉７５は施錠状態で、第１扉７とともに室外側に開放されるので、室内の急病人等の救出を手早く行う事ができる。
【００３３】
一方、レール部材６が室外側に回動した状態で、ラッチ部材４の連結用係止片４１の下面は、引張りバネ４３の弾性力によって、ラッチ部材支持壁５７に当接した状態が維持され、室外側に回動したレール部材６が、再び室内側に回動するとき、係合軸部６４１が傾斜操作面４１２に当接し、引張りバネ４３の弾性力に抗して、ラッチ部材４を図１１において反時計廻りの方向に回動させ、再び係合軸部６４１を係止部４１１の係止させる。
尚、実施例では、押上げ操作部材４６によって、ラッチ部材４を操作しているが、押上げ操作部材がなくても操作孔４８から丸棒等で直接ラッチ部材４を押し上げるように操作しても良い。
【００３４】
前記案内用部材８は、第２扉７５の開閉方向の略中央部に上方に突出して取り付けられたローラー支持部材８１と、ローラー支持部材８１の上端面に回転自在に支持され、レール材６の案内溝６１０に嵌合する案内ローラー８２と、ローラー支持部材８１の起立面８１１の室外側面に、室外側方向に突出して連結された上向きコ字形のローラ連結座８０と、
ローラ連結座８０に連結された室内側に支持ローラー８３を有するレール支持用部材８４と、ローラ連結座８０の室外側に連結され、上端部にリニアモーターの可動子８６が連結された可動子連結座８５等より構成されている。
そして、支持ローラー８３の端面で案内支持部材６１の下面を支持することにより、レール部材６が室外側に回動した時、閉鎖側の端部が下方に変移するのを防止している。
符号８７は、リニアモーターの可動子８６に対応して、上部補強部材６３の室外側に固定子連結座８８を介して設けられた、リニアモーターの可動子８６に対応するリニアモーターの固定子を示している。
【図面の簡単な説明】
【００３５】
【図１】折れ戸の正面略図
【図２】折れ戸を開放した状態の平面略図
【図３】レール部材と、第１扉と、第２扉を室外側に回動する途中の平面略図
【図４】表面部材を外した状態の折れ戸の上部正面略図
【図５】折れ戸の室外側で開放側縦枠側の分解斜視図
【図６】図１のＡ―Ａ線要部拡大断面図
【図７】図１のＢ―Ｂ線要部拡大断面図
【図８】図６のＣ−Ｃ線断面図
【図９】図６のＤ−Ｄ線拡大断面図
【図１０】ラッチ部材とレール部材の係止状態が解除された状態の要部断面図
【図１１】レール部材と、第１扉と、第２扉を室外側に回動した状態の要部断面図
【符号の説明】
【００３６】
１        折れ戸
１０      戸枠
４        ラッチ部材
４５      操作部
４６      押上げ操作部材
４８      操作孔
６        レール部材
７        第１扉
７５      第２扉
８        案内用部材
９        施錠装置
９１      施錠杆
９３      施錠用係止部
【図１】
0005060866.tif 000002
【図２】
0005060866.tif 000003
【図３】
0005060866.tif 000004
【図４】
0005060866.tif 000005
【図５】
0005060866.tif 000006
【図６】
0005060866.tif 000007
【図７】
0005060866.tif 000008
【図８】
0005060866.tif 000009
【図９】
0005060866.tif 000010
【図１０】
0005060866.tif 000011
【図１１】
0005060866.tif 000012